(57)【要約】【課題】  部品の配置上の支障がなく省スペース化を図ることができるとともに、部品の組み付け工数を削減できる電子機器およびその組立方法を提供する。【解決手段】  箱部５に磁石１１を装着する開口部８ｂを備えた部品装着部８ｃを設ける一方、箱部５にＬＣＤ９及びＬＣＤ補強板１０を取り付け、これらＬＣＤ９及びＬＣＤ補強板１０が開口部８ｂを閉塞する位置に配置されていることを特徴とする。  開口部８ｂを閉塞するようにしてＬＣＤ９及びＬＣＤ補強板１０を箱部５に取り付けることで、磁石１１を接着する工程が不要となるので、磁石１１の組み付け工数を削減することができる。【選択図】    図２
2006237948.tif 000002
【特許請求の範囲】
【請求項１】
筐体内の部品の一方向の外表面を除き、前記部品の囲む位置に部材を配置するステップと、
前記一方向から前記部品を装着するステップと、
前記外表面を閉塞するように前記他の部品を取り付けるステップと、
を含むことを特徴とする電子機器の組立方法。
【請求項２】
筐体内の部品の一方向の外表面を除き、前記部品の囲む位置に部材を配置してなり、前記一方向から前記部品を装着される部品装着部を設ける一方、前記筐体に他の部品を取り付け、前記他の部品が前記部品装着部の前記一方向を閉塞する位置に配置されていることを特徴とする電子機器。
【請求項３】
前記部品は磁石であり、前記他の部品はＬＣＤまたはＬＣＤ補強板であることを特徴とする請求項２記載の電子機器。
【発明の詳細な説明】
【技術分野】
【０００１】
本発明は、電子機器およびその組立方法に関するものであり、特に、携帯電話機等の携行可能な電子機器およびその組立方法に関するものである。
【背景技術】
【０００２】
近年、携帯電話機は、小型化を目的として２つの筐体を開閉可能に取り付けたものが広く用いられている。このような携帯電話機において、これら筐体の開閉状態を検知するために、例えば磁石およびホール素子を対向配置してなる検出手段を各筐体内に取り付けている（特許文献１参照）。このような部品は、その性質上、筐体内に取り付けられる基板に設置することができないため、筐体の内面で基板を回避した位置に接着剤等により取り付けられている。
【特許文献１】特開２００４−３２８１９８号公報
【発明の開示】
【発明が解決しようとする課題】
【０００３】
ところで、携帯電話機が多機能化している現状では、筐体の内外には複数の部品が配置されているため、上記磁石やホール素子等の部品を筐体に取り付けようとすると配置上の制約を受けることとなる。したがって、これら部品を設置するための特別なスペースを筐体内に確保し、かつ、この部品を確実に筐体に固定しなければならない。
また、上記部品を筐体内面に接着により固定する場合には、接着剤を塗布し、部品を取り付け、乾燥する工程を要することから、組み付け工数が増加するとともに、接着剤の劣化による上記部品の脱落が懸念される。
【０００４】
本発明は、このような事情を考慮してなされたもので、部品の配置上の支障がなく省スペース化を図ることができるとともに、部品の組み付け工数を削減できる電子機器およびその組立方法を提供することを目的とする。
【課題を解決するための手段】
【０００５】
本発明は、上記課題を解決するため、以下の手段を採用する。すなわち本発明の電子機器の組立方法は、筐体内の部品の一方向の外表面を除き、前記部品の囲む位置に部材を配置するステップと、前記一方向から前記部品を装着するステップと、前記外表面を閉塞するように前記他の部品を取り付けるステップと、を含むことを特徴とする。
【０００６】
また、本発明の電子機器は、筐体内の部品の一方向の外表面を除き、前記部品の囲む位置に部材を配置してなり、前記一方向から前記部品を装着される部品装着部を設ける一方、前記筐体に他の部品を取り付け、前記他の部品が前記部品装着部の前記一方向を閉塞する位置に配置されていることを特徴とする。
【０００７】
また、本発明の電子機器において、前記部品は磁石であり、前記他の部品はＬＣＤまたはＬＣＤ補強板であることを特徴とする。
【発明の効果】
【０００８】
本発明の電子機器およびその組立方法によれば、筐体内の部品の一方向の外表面を除き、部品の囲む位置に部材を配置し、一方向から部品を装着することで、これら部品を設置するための特別なスペースを筐体内に確保する必要がなくなるので、部品の配置上の支障がなく省スペース化を図ることができる。また、外表面を閉塞するようにして他の部品を取り付けることで、部品を接着する工程が不要となるので、部品の組み付け工数を削減することができる。
【発明を実施するための最良の形態】
【０００９】
以下、本発明の実施の形態について、図１〜図３を参照して説明する。なお、本実施の形態においては、携帯電話機について説明するものであるが、本発明の電子機器は、携帯電話機に限定するものではなく、携行可能な電子機器にも適用可能である。
図１は、携帯電話機１の斜視図である。この携帯電話機１は、２つの筐体、すなわち第１の筐体２と第２の筐体３とからなる開閉型の携帯電話機である。第１の筐体２の基端にはヒンジ部４が設けられており、このヒンジ部４に第２の筐体３の基端が回動可能に取り付けられている。したがって、図１に示すように、携帯電話機１を閉じた状態では、第１の筐体２が上側に配置されるとともに、第２の筐体３が下側に配置され、これらの第１の筐体２および第２の筐体３の内面が重なり合っている。
【００１０】
図２は、第１の筐体２を分解した図である。第１の筐体２は、箱部５と蓋部６とに上下方向に分割可能に構成されている。
箱部５の底面には、透明板からなるＬＣＤ表示窓７が設けられ、また、この底面上部の周縁には、弾性部材からなりＬＣＤ表示窓７の周縁を保護する保護材５ａが貼り付けられている。
【００１１】
箱部５には、ＬＣＤ表示窓７及び保護材５ａを囲うように壁部８が形成されている。この壁部８の外面には、蓋部６を取り付けるための複数、例えば４箇所の凹部８ａが設けられている。なお、蓋部６の内面にはこれら凹部８ａに対応する複数、例えば４箇所の凸部６ｃが設けられている。
また、壁部８の内面であって、箱部５の基端から先端に向かって右側面の基端側には、壁部８の内側の方向（一方向）に向いた開口部８ｂを有する部品装着部８ｃが形成されている。この部品装着部８ｃは、矩形薄板状に形成された磁石１１（部品）が箱部５の幅方向内側から外側に向かう方向（図２の矢印に示す方向）から装着できるようになっている。ここで、部品装着部８ｃは、磁石１１を装着されたとき、この一方向を除いて磁石１１を囲むように配置されている。すなわち、部品装着部８ｃに装着された磁石１１は、一方向を除いて固定された状態となっている。
【００１２】
また、壁部８の基端側には、壁面上部の一部を切欠いた切欠き部８ｄが形成されており、ＬＣＤ補強板１０を箱部５に取り付ける際、この切欠き部８ｄに突出部１０ｃが挿入されて、ＬＣＤ補強板１０が箱部５に位置決めされる。
ここで、ＬＣＤ補強板１０は、前記箱部５に取り付けられた状態で、磁石１１が装着された部品装着部８ｃの開口部８ｂに近接し、かつ、これを閉塞する位置に配置されている。すなわち、部品装着部８ｃに装着された磁石１１は、ＬＣＤ補強板１０を取り付けて一方向を閉塞されたことで、全ての方向に対して固定された状態となっている。
【００１３】
また、ＬＣＤ表示窓７の上部には、所定の厚さを有する矩形状に構成されたＬＣＤ９（他の部品）が設置されるとともに、このＬＣＤ９を保護するＬＣＤ補強板１０（他の部品）が設置されている。ここで、ＬＣＤ補強板１０は、矩形に形成された平板部１０ａと、その両端にＬＣＤ９の長手方向に沿って延在するとともにＬＣＤ表示窓７側に突出した側板部１０ｂと、平板部１０ａの長手方向の一端から外方に突出した突出部１０ｃとを備えた構成となっている。これらＬＣＤ９及びＬＣＤ補強板１０は、蓋部６を箱部５に取り付けたとき、蓋部６に覆われた状態で第１の筐体２に収容される。
【００１４】
箱部５の基端側には、撮像部１２及び２つの音響用スピーカ１３が取り付けられている。これら撮像部１２及び音響用スピーカ１３において、撮像部１２が箱部５の基端側の中央に回動可能に配置されるとともに、音響用スピーカ１３が撮像部１２の両側に固定配置されている。
撮像部１２は、蓋部６に設けられた撮像部用の開口部６ａを向くように配置されており、また、２つの音響用スピーカ１３は、いずれも箱部５の底面に設けられた図示しない開口部を向くように配置されている。なお、この開口部６ａにはレンズ６ｂが装着されている。
【００１５】
また、箱部５の基端には、箱部５の幅方向に稼動可能な操作部１４が取り付けられている。この操作部１４は、撮像部１２に設けられた軸部１２ａを介して接続されており、箱部５の幅方向に稼動させると撮像部１２が回動し、撮像モードを通常モード／マクロモードに切り替え可能となる。
さらに、箱部５の先端側には、受信した音声信号を出力するレシーバ１５が取り付けられている。このレシーバ１５は、箱部５の底面に設けられた図示しない開口部を向くように固定配置されている。
なお、図示しないが、ＬＣＤ補強板１０と蓋部６との間には基板が装着されている。
【００１６】
上記の構成からなる携帯電話機１の組立方法は、部品装着部８ｃに開口部８ｂの外側から磁石１１を装着し、その装着された磁石１１の外表面を閉塞するようにしてＬＣＤ９およびＬＣＤ補強板１０を箱部５に取り付けたものである。具体的には以下の手順で携帯電話機１の組立を行う。
【００１７】
まず、箱部５の壁部８に設けられた部品装着部８ｃに、磁石１１を箱部５の幅方向内側から外側に向かう方向（図２の矢印に示す方向）に装着する。そして、箱部５の底面上部の周縁に保護材５ａを貼り付ける。
その後、部品装着部８ｃから磁石１１が脱落しないように、開口部８ｂが向いている方向を除いて固定された状態で、ＬＣＤ９の周縁を保護材５ａに載置するようにＬＣＤ９を箱部５に装着する。そして、ＬＣＤ補強板１０の突出部１０ｃを壁部８の切欠き部８ｄに挿入しながら、ＬＣＤ補強板１０をＬＣＤ９の上部に当接するように箱部５に装着する。このとき、ＬＣＤ９の長手方向の側面がＬＣＤ補強板１０の側板部１０ｂに覆われており、また、この側板部１０ｂの一部が壁部８の開口部８ｂを閉塞して磁石１１の外表面を押えるように位置することとなる。
【００１８】
これらＬＣＤ９及びＬＣＤ補強板１０を箱部５に装着した後、レシーバ１５を箱部５の先端側に取り付けるとともに、撮像部１２及び２つの音響用スピーカ１３を箱部５の基端側に取り付ける。そして、撮像部１２の軸部１２ａに操作部１４を取り付け、この操作部１４を箱部５の基端側の所定位置に配置する。
さらにその後、基板をＬＣＤ補強板１０の上部に載置するように装着する。そして、箱部５内に装着されたこれら部品を覆うように蓋部６を箱部５に取り付けて、第１の筐体２の組立が完了する。
その後、第１の筐体２に、ヒンジ部４で回動可能となるように第２の筐体３を取り付けて、携帯電話機１の組立が完了する。
【００１９】
上記携帯電話機１において、磁石１１は磁性体であるという性質上、他の部品に磁力による影響を与えてしまうため、基板上への配置を回避しなければならない。したがって、基板とは異なる位置に配置される必要がある。そこで、上述のように第１の筐体２の箱部５に壁部８を設け、その壁部８に開口部８ｂを有する部品装着部８ｃを設けたことにより、この部品装着部８ｃに磁石１１を設置すれば、この磁石１１を配置するための特別なスペースを確保する必要がなくなる。したがって、基板に搭載することができない磁石１１の配置上の支障がなくなるので、第１の筐体２を含む携帯電話機１の省スペース化を図ることができる。
【００２０】
また、この箱部５にＬＣＤ９及びＬＣＤ補強板１０を取り付けたときにＬＣＤ補強板１０の側板部１０ｂが開口部８ｂを閉塞する位置に配置されることで、部品装着部８ｃに設置された磁石１１が側板部１０ｂに押えられて固定される。これにより、磁石１１を箱部５に接着する工程、すなわち、磁石１１に接着剤を塗布し、この磁石１１を箱部５に取り付けた後、所定時間乾燥する工程が不要となる。したがって、磁石１１の組み付け工数を削減することができる。
また、このように磁石１１を箱部５に接着する工程を要しないことから、接着剤を使用しないため、接着剤の劣化による磁石１１の箱部５から脱落するという問題を解消することができる。
【００２１】
なお、上記実施の形態において、部品として磁石およびＬＣＤを用いているが、これらに限定することなく、別の部品を用いてもよい。
また、上記実施の形態において、携帯電話機１の組立を行う際、携帯電話機１が組立可能であれば、上記に示す組立の手順を前後させてもよい。
また、上記実施の形態において、ＬＣＤ補強板１０を設けなくてもよい。この場合、ＬＣＤ９の側面が開口部８ｂを閉塞するように配置され、部品装着部８ｃ内に装着された磁石１１を押えて固定することとなる。
また、上記実施の形態において、部品装着部８ｃは、箱部５に取り付けられることに限定するものではなく、第１の筐体２または第２の筐体３に設けられた部品によって一部または全部を構成されてもよい。
【図面の簡単な説明】
【００２２】
【図１】本発明における実施の形態に係る携帯電話機の斜視図である。
【図２】図１の携帯電話機の第１の筐体を分解した図である。
【図３】第１の筐体の部分断面図である。
【符号の説明】
【００２３】
１  携帯電話機
２  第１の筐体（筐体）
３  第２の筐体（筐体）
５  箱部
６  蓋部
８  壁部
８ｂ  開口部
８ｃ  部品装着部
９  ＬＣＤ（他の部品）
１０  ＬＣＤ補強板（他の部品）
１０ｂ  側板部
１１  磁石（部品）
【図１】
2006237948.tif 000003
【図２】
2006237948.tif 000004
【図３】
2006237948.tif 000005